(57)【特許請求の範囲】
【請求項１】
グラウンドアンカーの頭部を受圧板に載置される補剛板及びアンカープレートに緊張・定着させ、該グラウンドアンカーの頭部におけるアンカー孔側の背面部を覆うとともに底板部にストランドの挿通用孔が設けられた筒状の養生管を用いたグラウンドアンカーの頭部定着構造において、
前記筒状の養生管は開口端部のフランジ部と底板部を含む全体が弾性材で一体に成型されたものであって、
該養生管の開口端部に前記補剛板とアンカープレートとの間で挟装されるフランジ部とその付け根部分が厚肉にされたテーパ部とが形成され、
前記養生管の底板部に設けられたストランド挿通用孔の上部には、ストランド外周部にまつわり付いて密着する止水用の鍔部が一体に形成されたこと
を特徴とするグラウンドアンカーの頭部定着構造。
【請求項２】
前記養生管の底板部に設けられたストランド挿通用孔は、ストランドの挿入方向に沿って先細りのテーパ状になっていること
を特徴とする請求項１に記載のグラウンドアンカーの頭部定着構造。
【請求項３】
前記養生管の底板部に設けられたストランド挿通用孔は、その孔径が前記ストランドの外形寸法よりも大きくすると共に、ストランドの挿入方向に沿って先細りのテーパ状に形成し前記鍔部の近傍まで空間部となっていること
を特徴とする請求項１に記載のグラウンドアンカーの頭部定着構造。
【発明の詳細な説明】
【０００１】
【発明の属する技術分野】
本発明は、例えば、法面や擁壁等の地盤斜面及び壁面の崩落、建造物の転倒、建造物の浮上がりを防止するグラウンドアンカーにおける頭部の定着構造に関する。
【０００２】
【従来の技術】
従来、グラウンドアンカーの頭部定着構造としては、図５乃至図６に示すように、場所打コンクリートのり枠，プレキャストコンクリート又は鋼製等の受圧板２０の貫通孔２１の内壁面に補強管又は貫通管（鋼製のケーシング又はボイド管）２２が嵌装され、アンカー孔３２の底部で先端側が固定され後端側が地盤面上に突出されたＰＣ鋼より線から成るアンボンドストランド２３が所要本数配設され、該ストランドを開口部に挿通させて補強管２２の入口部に補剛板２４が受圧板２０に載置され、そして、養生管２５がその底部の挿通孔に前記ストランド２３を各々挿通させて開口端部を前記補剛板２４の開口部に嵌装され、その後、アンカープレート２６が載置されて定着ナット２７及びアンカーヘッド２８（定着ナットを使用しないでアンカーヘッドのみもある）で前記ストランド２３を所要緊張後に定着しているものが知られている。
【０００３】
前記アンカーヘッド２８には更に防錆用の保護キャップ２９が被覆され、その内部に防錆油が封入されている。また、前記保護キャップ２９には外キャップ３０が被覆されている。このようにして、受圧板２０の外側からの雨水等の浸入によるストランド２３の錆発生に対する防錆処理が施されている。
【０００４】
一方、前記養生管２５は、地盤３１乃至受圧板２０内部からの地下水等の浸入に対するストランド２３の防錆処理のために設けられている。それには、該養生管２５の内部に防錆材２５ｂを充填するとともに底部を弾性体のゴムキャップ２５ａで構成して、該ゴムキャップ２５ａの挿通孔２５ｃとストランド２３との嵌合部からの地下水等の浸入を防止するものである。
【０００５】
【発明が解決しようとする課題】
しかしながら、グラウンドアンカーを構築する際に、法面Ｃ及び受圧板面Ｂの傾斜角度若しくはアンカー孔３２の削孔の角度がある程度の誤差を有するのは避けられないものである。その場合に、受圧板面Ｂに対するアンカー孔３２の角度が設計上の角度と誤差があることで、ストランドが養生管の軸芯に対して平行にならずに傾斜・偏倚し、養生管のゴムキャップとの嵌合がずれて、前記防錆材５ｂが漏れ出すおそれがある。また、緊張・定着されたストランドと養生管との取付角度が設定通りでないと、養生管の方がストランドによって無理に曲げられてしまうという課題がある。本発明に係るは、このような課題を解消するために提案されるものである。
【０００６】
【課題を解決するための手段】
本発明に係るグラウンドアンカーの頭部定着構造の上記課題を解決するための要旨は、
グラウンドアンカーの頭部を受圧板に載置される補剛板及びアンカープレートに緊張・定着させ、該グラウンドアンカーの頭部におけるアンカー孔側の背面部を覆うとともに底板部にストランドの挿通用孔が設けられた筒状の養生管を用いたグラウンドアンカーの頭部定着構造において、前記筒状の養生管は開口端部のフランジ部と底板部を含む全体が弾性材で一体に成型されたものであって、該養生管の開口端部に前記補剛板とアンカープレートとの間で挟装されるフランジ部とその付け根部分が厚肉にされたテーパ部とが形成され、前記養生管の底板部に設けられたストランド挿通用孔の上部には、ストランド外周部にまつわり付いて密着する止水用の鍔部が一体に形成されたことの構成を有するグラウンドアンカーの頭部定着構造である。
【０００７】
また、本発明に係るグラウンドアンカーの頭部定着構造においては、前記養生管の底板部に設けられたストランド挿通用孔は、ストランドの挿入方向に沿って先細りのテーパ状になっていることである。
【０００８】
更に、前記養生管の底板部に設けられたストランド挿通用孔は、その孔径が前記ストランドの外形寸法よりも大きくすると共に、ストランドの挿入方向に沿って先細りのテーパ状に形成し前記鍔部の近傍まで空間部となっていることを含むものである。
【０００９】
本発明に係るグラウンドアンカーの頭部定着構造によれば、法面に対してアンカー孔の削孔した角度が設定角度と誤差があっても、ストランド挿通孔における可撓性鍔部が傾斜又は偏倚したストランド外周面に追従してまつわり付き、密着性能が維持され止水性能が低下しないものである。
【００１０】
また、養生管の開口部に設けられたフランジ部は、補剛板とアンカープレートとによって挟装され、かつ、ストランドの緊張力により強く圧縮されて密着性が増して止水性能が向上する。
【００１１】
更に、養生管の開口部における外周部をテーパ面にしてテーパ部を形成することで、フランジ部とこれに略直交する筒状体の本体部との付け根部分が厚肉となって、アンカープレートの圧縮力に対する耐力が増大して切断等の発生を防止する。更に、養生管テーパ面と補鋼板テーパ面が密着し止水性を向上させる。
【００１２】
【発明の実施の形態】
次に、本発明に係るグラウンドアンカーの頭部定着構造について図面を参照して説明する。なお、発明の理解の容易のため従来例に対応する部分には従来例と同一符号を付けて説明する。
【００１３】
本発明のグラウンドアンカーの頭部定着構造に使用される養生管１は、図１に示すように、全体が筒状の本体部１ａと、一端部に形成される底板部１ｂとで一体に形成されている。
【００１４】
前記養生管１は、合成，天然のゴム製又は合成樹脂製（例えば、クロロプレンゴム、軟質エポキシ樹脂など）等の弾性材で成型されている。底板部１ｂには、受圧板貫通孔２１及び補強管２２に配設されるストランド２３の配置に対応して所要数のストランド挿通用孔１ｃが設けられている。このストランド挿通用孔１ｃの孔径は、ストランド２３の外形寸法よりも若干小さな寸法である。また、該挿通用孔１ｃは、図１に示すように、成型の離型時に抜けやすいように若干のテーパ１ｈが付けられ、ストランド２３の挿入方向に沿って先細りになっている。よって、ストランド２３を挿通させ易いものである。また、なお、図示した一例では３カ所に設けられている。
【００１５】
前記ストランド挿通用孔１ｃには、図１及び図２に示すように、薄肉にした可撓性の鍔部１ｄが底板部１ｂと一体に形成して設けられている。この鍔部１ｄの厚さは例えば約１ｍｍ程度で、その中央部の孔の直径は、これに挿通されるストランド２３の外径寸法より小さい寸法に設定される。
【００１６】
また、養生管１の上部の開口部においては、図１に示すように、外周部に厚肉にするためのテーパ部１ｅが形成され、更に、前記開口部の端部フランジ部１ｆが形成されている。
【００１７】
このようにして形成される養生管１を使用するグラウンドアンカーの頭部定着構造は、図３に示すように、例えば、場所打コンクリートのり枠やプレキャストコンクリート又は鋼製等で斜面に設けてアンカーを打つ躯体である受圧板２０に補強管又は貫通管（鋼製のケーシング又はボイド管）２２が嵌装される。
【００１８】
アンカー孔３２の底部で先端側が固定され後端側が地盤面上に突出されたストランド２３が所要本数配設され、該ストランドを開口部に挿通させて受圧板貫通孔２１の入口部に補剛板２４が受圧板面Ｂに載置される。該補剛板２４の中央部に貫通して設けられた支持孔２４ａの孔壁面には、前記テーパ部１ｅのテーパ面に対応したテーパ面２４ｂが形成されている。
【００１９】
そして、養生管１がその底板部１ｂのストランド挿通用孔１ｃに前記ストランド２３を各々挿通させて、開口端部を前記補剛板２４の支持孔２４ａに嵌装される。前記ストランド挿通用孔１ｃの鍔部１ｄは、例えば、図２（Ａ）に示すように、上側に盛り上がって、ストランド２３の外周面に密着した状態になる。
【００２０】
また、図２（Ｂ）に示すように、ストランド２３の挿入・装着の容易性を考慮して、ストランド挿通用孔１ｃの孔径をストランド２３の外径寸法より大きくするとともに、当該孔１ｃ周壁面のテーパ１ｈも若干大きくして、前記鍔部１ｄの近傍まで空間部とするものである。この構造により、ストランド２３をストランド挿通用孔１ｃに挿入する際の抵抗が減って、挿入・装着が容易となる。この養生管１の内部空間部１ｇには、防錆材が充填される。
【００２１】
その後、鋼製のアンカープレート２６が前記補剛板２４上に載置される。これにより、養生管１のフランジ部１ｆが、補剛板２４とアンカープレート２６とで挟装される。そして、定着ナット２７及びアンカーヘッド２８で前記ストランド２３を所要緊張後に定着する。これにより、前記フランジ部１ｆが強く圧縮されて、雨水等が外部から浸入しないように止水される。なお、前記アンカーヘッド２８には防錆用の保護キャップ２９が被覆され、その内部に防錆油が封入され、該保護キャップ２９に外キャップ３０が被覆されるのは従来と同様である。
【００２２】
かかる本発明のグラウンドアンカーの頭部定着構造において、図３及び図４に示すように、アンカー孔３２が受圧板面Ｂに対して設定角度よりも傾斜した角度θで削孔されている場合、ストランド挿通用孔１ｃにおける鍔部１ｄの孔縁部が、薄肉で可撓性を十分に有するので、ストランド２３の傾斜・偏倚に応じて撓みながらストランド外周部にまつわり付き、密着性が維持される。
【００２３】
こうして、地盤３１乃至受圧板２０の地下水等の養生管内部への浸入を前記可撓性鍔部１ｄで止水し、前記補剛板２４とアンカープレート２６とで挟装・圧縮されるフランジ部１ｆで受圧板面Ｂ外部側からの雨水等の養生管内部への浸入を止水するものである。また、養生管１のテーパ部１ｅにより、フランジ部１ｆとこれに略直交する筒状体の本体部１ａとの付け根部分が外側に厚肉にされたので、切断や亀裂の発生に対する耐久性が得られるものである。
【００２４】
【発明の効果】
以上説明したように、本発明に係るグラウンドアンカーの頭部定着構造は、グラウンドアンカーの頭部を受圧板に載置される補剛板及びアンカープレートに緊張・定着させ、該グラウンドアンカーの頭部におけるアンカー孔側の背面部を覆うとともに底板部にストランドの挿通用孔が設けられた筒状の養生管を用いたグラウンドアンカーの頭部定着構造において、前記筒状の養生管は開口端部のフランジ部と底板部を含む全体が弾性材で一体に成型されたものであって、該養生管の開口端部に前記補剛板とアンカープレートとの間で挟装されるフランジ部とその付け根部分が厚肉にされたテーパ部とが形成され、前記養生管の底板部に設けられたストランド挿通用孔の上部には、ストランド外周部にまつわり付いて密着する止水用の鍔部が一体に形成された構成となっているので、部品点数が少なくなって管理及び作業性が容易になり、且つアンカー孔の削孔角度の誤差があってストランドが傾斜しても、その傾斜に追従して鍔部がストランド外周部にまつわり付いて密着してストランドに沿って変形すること、及び養生管も弾性材で形成されているので可撓性により変形することで、ストランド定着部の背面側の止水性が高度に向上し長期間維持されるという優れた効果を奏するものである。
【００２５】
また、受圧板に載置される補剛板の支持孔に当該養生管の開口部が嵌装されて支持されており、該養生管の開口部に前記補剛板とアンカープレートとの間で挟装されるフランジ部が設けられているので、ストランド定着部の表面側の止水性が更に向上するという優れた効果を奏するものである。更に、養生管テーパ面と補鋼板テーパ面が密着し止水性を向上させるばかりでなく、テーパー面が肉厚に形成されているので、長期耐久性が得られるという優れた効果を奏する。
【００２６】
更に、養生管の底板部に設けられたストランド挿通用孔は、ストランドの挿入方向に沿って先細りのテーパ状になっていること、または、その孔径が前記ストランドの外形寸法よりも大きくすると共に、ストランドの挿入方向に沿って先細りのテーパ状に形成し前記鍔部の近傍まで空間部となっていることによってストランドの挿着作業が容易に行えるという優れた効果も奏する。
【図面の簡単な説明】
【図１】本発明に係るグラウンドアンカーの頭部定着構造に使用される養生管の半断面図（イ）と、底面図（ロ）である。
【図２】図１中のＡ部の拡大詳細図（Ａ），（Ｂ）である。
【図３】同本発明に係るグラウンドアンカーの頭部定着構造の使用状態説明図である。
【図４】同本発明に係るグラウンドアンカーの頭部定着構造における、ストランドと可撓性鍔部の密着性維持状態を説明する説明図である。
【図５】従来例に係るグラウンドアンカーの頭部定着構造の断面図である。
【図６】同従来例における、補剛板と養生管との嵌装状態を示す説明図である。
【符号の説明】
１  養生管、１ａ  本体部、１ｂ  底板部、１ｃ  ストランド挿通用孔、
１ｄ  可撓性鍔部、１ｅ  テーパ部、１ｆ  フランジ部、１ｇ  内部空間部、
２０  受圧板、２１  受圧板貫通孔、２２  補強管又は貫通管、
２３  アンボンドストランド、２４  補剛板、  ２５  養生管  、
２６  アンカープレート、２７  定着ナット、
２８  アンカーヘッド、３１  地盤、３２  アンカー孔。
【図１】
0003590000.tif 000002
【図２】
0003590000.tif 000003
【図３】
0003590000.tif 000004
【図４】
0003590000.tif 000005
【図５】
0003590000.tif 000006
【図６】
0003590000.tif 000007